(57)【特許請求の範囲】
【請求項１】
積層された長方形のティッシュペーパーからなるティッシュと、
折り畳まれた前記ティッシュを積層して収納するとともに、収納された前記ティッシュを取り出すティッシュ取出口が一面の中央部で且つ前記一面の長手方向に沿って設けられた扁平な袋と、
を有するポケットティッシュにおいて、
前記ティッシュは、
折り跡が復元可能な断面略円弧形状からなり、前記ティッシュペーパーの短手方向と平行に延在する複数の折り部と、
前記複数の折り部に沿って折り畳まれた前記ティッシュの最上部に設けられ、折り畳まれた前記ティッシュが前記袋に収納されたときに、前記ティッシュ取出口の開口方向
に沿って位置するつまみ代と、
前記つまみ代の根元部に設けられ、前記ティッシュを一体化する直線状の型押し部と、
を有し、
前記ティッシュペーパーは、
米坪が３０ｇ／ｍ2以上１００ｇ／ｍ2以下で、且つ強度が引出し方向に対し９０ｃＮ／２５ｍｍ以上であり、
前記ティッシュは、
前記複数の折り部に沿って折り畳まれたときに３枚以上重なる部分の合計が折り畳み寸法に対して１／３以上である
ことを特徴とするポケットティッシュ。
【発明の詳細な説明】
【技術分野】
【０００１】
本発明は、携帯しやすいように折り畳まれて袋内に収納されたティッシュを取出口から引き出して、折り直したりたりすることなく、引出した状態のままで使用することができるポケットティッシュに関する。
【背景技術】
【０００２】
従来、ポケットティッシュは、長方形の扁平な袋内に複数枚のティッシュペーパーをポケットティッシュの短手方向と長手方向の２方向に折り畳んだ状態で収容し、その袋の一面に取出口となる破線切込部（ミシン目）を設け、１枚ずつ取り出せるようにしたものがある。しかし、このようなポケットティッシュでは、ティッシュが２方向に折り畳まれて袋内に収納されているため、引出したティッシュをそのまま使用することができず、折りを広げて畳み直す必要があった。
【０００３】
また、折り畳まれて袋内に収納されたティッシュを取出口から引き出し、ティッシュを開いたり、折り畳み直したりすることなく、そのまま使用することができるポケットティッシュが提案されている（例えば、特許文献１参照）。
特許文献１のポケットティッシュは、各ティッシュがその短辺と平行な方向の折り目にのみに沿って折り畳まれて折り、その折り目の方向とティッシュ取出口の方向とが平行となる状態で、袋内に収納されており、袋から取り出して直ぐに使用できるようにしてある。
【先行技術文献】
【特許文献】
【０００４】
【特許文献１】特開２０１１−２０６４２１号公報
【発明の概要】
【発明が解決しようとする課題】
【０００５】
特許文献１のポケットティッシュは、米坪が３２〜１００ｇ／ｍ2に設定されており、ティッシュぺーパーを構成する各シート１枚の坪量が比較的高く剛性が高いことから、シートの剥離(分離)が起きやすい。取出し時に剥離したシートをつまむとティッシュが破れる原因となる。
また、折り目を長手方向に沿って設けた後にプレスにより強圧して成形しているので、折り部の引き裂き強度が低下し、各折り目に沿って裂けやすいという問題もある。ティッシュは、原反ロールの巻き取り方向に繊維が配向しているため、繊維の向きに沿って折り目が入る状態となり、折り目が裂けやすくなっている。特に、保湿剤や平滑剤等を含浸させたローションティッシュでは、通常のティッシュよりも強度が低くなる傾向にあり、より裂けやすい。
【０００６】
さらに、折り目の成形により、特許文献１のポケットティッシュでは、ティッシュに設けた各折り目が山形又は谷形となり、この状態では使い勝手が悪いため、使用者は、ティッシュが平らな形になるように折り目を手で折り目を広げる手間を要することもある。
【０００７】
本発明はこれら従来の問題点を解決し、シートの剥離が起きにくく、折り目の引き裂き強度の低下を抑え、裂けにくいポケットティッシュを提供することにある。
【課題を解決するための手段】
【０００８】
本発明は、積層された長方形のティッシュペーパーからなるティッシュと、折り畳まれた前記ティッシュを積層して収納するとともに、収納された前記ティッシュを取り出すティッシュ取出口が一面の中央部で且つ前記一面の長手方向に沿って設けられた扁平な袋と、を有するポケットティッシュにおいて、前記ティッシュは、折り跡が復元可能な断面略円弧形状からなり、前記ティッシュペーパーの短手方向と平行に延在する複数の折り部と、前記複数の折り部に沿って折り畳まれた前記ティッシュの最上部に設けられ、折り畳まれた前記ティッシュが前記袋に収納されたときに、前記ティッシュ取出口の開口方向に沿って位置するつまみ代と、前記つまみ代の根元部に設けられ、前記ティッシュを一体化する直線状の型押し部と、を有し、前記ティッシュペーパーは、米坪が３０ｇ／ｍ2以上１００ｇ／ｍ2以下で、且つ強度が引出し方向に対し９０ｃＮ／２５ｍｍ以上であり、前記ティッシュは、前記複数の折り部に沿って折り畳まれたときに３枚以上重なる部分の合計が折り畳み寸法に対して１／３以上である。
【発明の効果】
【０００９】
本発明によれば、ティッシュペーパーの米坪が３０〜１００ｇ／ｍ2であり、強度が引出し方向に対し９０ｃＮ／２５ｍｍ以上であり、複数の折り部により３枚以上重なる部分の合計が折り畳み寸法に対して１／３以上であるため、ティッシュを袋から出すときに従来のポケットティッシュに比してコンパクトとなり、かつ、裂けにくくなった。
また、本発明によれば、ティッシュが、折り部をティッシュ取出口近傍でつまみ代を形成するように袋内に積層されているので、袋から取り出しやすくなった。
さらにつまみ部の根元に直線状の型押し(ナーリング)加工を施しており、シートの剥離が生じにくい。
また、本発明によれば、折り部がティッシュの展開時に折り跡が復元可能な断面略円弧形状を有しているので、折り部の引き裂き強度の低下を抑えることが可能となり、裂けにくいポケットティッシュを提供することができる。
【図面の簡単な説明】
【００１０】
【図１】本発明の一実施形態に係るポケットティッシュの袋からティッシュを取り出した時の状態を示す斜視図である。
【図２】図１のポケットティッシュの斜視図である。
【図３】図１に用いられるティッシュを広げた状態を示す平面図である。
【図４】図３のティッシュに設けた折り部の拡大断面図である。
【図５】図３のティッシュを折り畳んだ状態を示す斜視図である。
【発明を実施するための形態】
【００１１】
以下、本発明を図面に示す実施形態に基づいて説明する。
図１〜図３は、本発明の一実施形態に係るポケットティッシュ１を示す。
本実施形態に係るポケットティッシュ１は、複数の長方形のティッシュペーパー１１を積層して成るティッシュ１０と、表面のほぼ中央部の長手方向にティッシュ取出口２１を設けた直方体形状の扁平な袋２０とで構成されている。
【００１２】
ティッシュ１０は、例えば、図３に示すように、縦幅ＴＤ＝９０ｍｍ〜１８０ｍｍ、横幅ＴＷ＝１５０ｍｍ〜２４０ｍｍで、米坪が３０／ｍ2以上、１００ｇ／ｍ2以下の長方形のティッシュペーパー１１を２枚重ね又は３枚重ね或いは３枚重ね以上とすることによって構成されている。ティッシュ１０のシートの強度は、引き出し方向に対応するＣＤＴ（乾燥横引張り強度）が９０ｃＮ／２５ｍｍ以上であることが好ましく、ティシュの風合いを考慮して２５０ｃＮ／２５ｍｍ以下とすることが好ましい。また、ＭＤＴ（乾燥縦引張り強度）が２００〜８００ｃＮ／２５ｍｍである。さらには、ＭＤＴは、２５０ｃＮ／２５ｍｍ〜６００ｃＮ／２５ｍｍが好ましい。ティッシュ１０のサイズは、縦幅Ｄ＝６０ｍｍ〜９０ｍｍ、横幅Ｗ＝９０ｍｍ〜１８０ｍｍとするが、衣服のポケットへの収納に便利なように横幅Ｗ＝９０ｍｍ〜１３０ｍｍとすることが好ましい。
【００１３】
ティッシュ１０は、例えば、図１、図３に示すように、積層された長方形のティッシュペーパー１０に、その短手方向（縦幅ＴＤ方向）と平行な複数の折り部１２，１３，１４を長手方向（横幅ＴＷ方向）に沿って設け、複数の折り部１２，１３，１４に沿って折り畳まれるように成形されて、３枚以上重なる部分の合計が折り畳み寸法に対して１／３以上にしてある。ポケットティシュをよりコンパクトにするため３枚以上重なる部分が折り畳み寸法全体でもよい。
また、ティッシュ１０は、折り部１２，１３，１４を後述する袋２０のティッシュ取出口２１近傍でつまみ代１７を形成するように袋２０内に積層される。
【００１４】
このような機能を有する複数の折り部１２，１３，１４の成形について説明する。
本実施形態に係るポケットティッシュ１は、ティッシュペーパー１１の原反ロールからティッシュペーパー（ウェブ）を引き出して一方向に搬送しながら所定の加工を施すことによって製造することができる。例えば、機械生産流れ方向（ＭＤ方向）と直交する幅方向（ＣＤ方向）の寸法が１５０ｍｍ〜２４０ｍｍである帯状のティッシュペーパーを複数枚積層した状態でロール状に巻回してなる原反ロールを使用する。
【００１５】
本実施形態において、ティッシュ１０の短手方向と平行な複数の折り部１２，１３，１４を長手方向に沿って設ける方法としては、例えば、棒体又は折り板を用いるものがある。
折り跡を緩やかにするためには、折り板の形状や角度などの調整と、その後のプレスを緩和する。また、つまみ代の根元には、折り部形成後に型押し(ナーリング)加工を施す。型押しは、直線状に連続して施す以外にも間欠としてもよい。
【００１６】
袋２０は、例えば、ポリエチレンフィルム、ポリプロピレンフィルム、ポリエステルフィルム等の熱融着可能な可撓性素材で形成されている。
袋２０の表面側には、ティッシュ１０を取り出すためのティッシュ取出口２１となるミシン目２１ａが形成されている。このミシン目２１ａは、袋２０の短手方向（縦幅Ｄ方向）の中央部において長手方向（横幅Ｗ方向）に延びるように形成されており、このミシン目２１ａを開裂させることで図１に示すようにティッシュ取出口２１が形成される。
【００１７】
そして、これらのティッシュペーパー１１が、本実施形態では、その短手方向（縦幅ＴＤ方向）と平行な方向の折り部１２，１３，１４を長手方向（横幅ＴＷ方向）に沿って折り畳まれており、これらの折り部１２，１３，１４の方向とティッシュ取出口２１（ミシン目２１ａ）の方向とが平行となる状態で、袋２０内に収納されている。
【００１８】
次に、本実施形態の作用を説明する。
先ず、ポケットティッシュ１を使用するに当たっては、袋２０の表面側に形成されているミシン目２１ａを開裂させてティッシュ取出口２１とする。次いで、ティッシュ取出口２１から袋２０内に指を挿入して最上部にあるティッシュ１０の折り畳み部分で形成されるつまみ代１７を摘んで外部に引き出す。
【００１９】
また、ティッシュペーパー１１はその短手方向（縦幅ＴＤ方向）と平行な方向の各折り部１２〜１４にのみ沿って折り畳まれており、これらの折り部１２〜１４の方向とティッシュ取出口２１の方向とが平行となる状態で袋２０内に収納されているので、最上部にあるティッシュ１０の折り畳み部分を摘んで外部に引き出すと、ティッシュ１０はその折り畳み状態が解除される方向、つまり折り部１２〜１５と直交する長手方向に引き出されることとなる。このため、ティッシュ１０はティッシュ取出口２１から袋２０外に引き出される過程で、各折り部１２〜１５の復元力で折り畳み状態が順次解除されていき、図３、図４に示すように、外部に完全に引き出されたときには既にその略全体が展開した状態（広げられた状態）となっている。
【００２０】
従って、使用者は、袋２０内に収納されているティッシュ１０をティッシュ取出口２１から外部に引き出すだけで、適度なサイズ及び形状を有するティッシュ１０を使用しやすい横長形状の状態で直ぐに使用できる。即ち、従来のポケットティッシュのように袋から取り出した折り畳み状態のティッシュを使用前に広げたり、さらに使用しやすいサイズとするために２つ折り或いは４つ折りにしたりするといった手間を省くことができる。
【００２１】
このように、本実施形態に係るポケットティッシュ１によれば、袋２０から取り出すだけで、すでに使用しやすい大きさと形状と方向性とを具備しているから、袋２０から取り出した長方形のティッシュ１０を広げたりさらには２つ折りや４つ折りに折り直したりすることなく、袋２０から取り出した状態で直ぐに使用できるだけでなく、使用しやすい横長状態のまま使用することができる。
また、つまみ代１７をティシュ取出し口２１の近傍に設けられており、シートを剥離することなく、ポケットティシュ１を引出し使用することができる。
さらに、本実施形態に係るポケットティッシュ１は、折り部１２，１３，１４に折り跡が付いても、ティッシュ１０を広げたときに、従来のティッシュに比べてティッシュ１０の復元力でティッシュ本体と同等程度に平らになろうとするので、使用者は、袋から取り出したティッシュ１０を軽く押し広げる程度の力を加えるだけで、折り部１２，１３，１４が殆ど気にならない程度にティッシュ１０を平らにすることが可能となる。
このように、本実施形態に係るポケットティッシュ１によれば、袋２０からティッシュ１０を取り出した後に、従来のポケットティッシュのように折り部１２，１３，１４が裂けやすいという不具合を解消することが可能となる。
【００２２】
図５は、ティッシュ１０の折り畳み形態例を示す。
図５（ａ）は、折り部４９，５０により三層としたもので、下部側は中間部と完全に重なり、上部側は中間部と長手方向において略半分だけ重なるようにしたものである。
図５（ｂ）は、折り部４９，５０により三層とした（ａ）に加え、折り部５１によりつまみ代を形成したものである。
図5（ｃ）は、つまみ代の基部にナーリングを設けたものである。
【００２３】
なお、上記実施形態では、柔らかく、手触りが良く、吸収性に優れ、しかも強度にも優れているので、ローションティシュに限らず、非ローションティッシュペーパー、トイレットペーパー、紙タオル等のいわゆる衛生用薄葉紙にも適用可能である。
また、本発明は、ローションティッシュを使用するポケットティッシュとしても良い。
【符号の説明】
【００２４】
１ ポケットティッシュ
１０  ティッシュ
１１  ティッシュペーパー
１２，１３，１４，  折り部
１７  つまみ代
１８  ナーリング
２０  袋  
２１  ティッシュ取出口
２１ａ  ミシン目
【図１】
0005985206.tif 000002
【図２】
0005985206.tif 000003
【図３】
0005985206.tif 000004
【図４】
0005985206.tif 000005
【図５】
0005985206.tif 000006